(57)【特許請求の範囲】
【請求項１】
矩形状の基板の周縁部に、弾性表面波を励振する励振素子と弾性表面波を受信する受信素子とを備え、前記基板上の前記励振素子と前記受信素子との間で弾性表面波を伝播させ、前記受信素子での受信結果に基づいて、前記基板に接触された物体の位置を検出するタッチパネル装置において、前記励振素子及び前記受信素子は、膜状の圧電体と、該圧電体の一面に形成されている櫛形電極と、前記圧電体の他面に形成されている平板電極とを有しており、前記基板上の対角方向に弾性表面波が伝播すべく、対をなす前記励振素子と前記受信素子とを前記基板の対角方向の周縁部に設けてあり、前記櫛形電極は中途で屈曲している電極指を有し、前記励振素子が同時に２方向へ弾性表面波を励振し、前記受信素子が同時に２方向からの弾性表面波を受信すべくなしてあることを特徴とするタッチパネル装置。
【請求項２】
前記櫛形電極または前記平板電極に接続される配線を備えており、前記配線に導電性物質が重畳されている請求項１に記載のタッチパネル装置。
【請求項３】
前記櫛形電極に接続される第１配線と、前記平板電極に接続される第２配線とを有しており、前記第１配線は前記圧電体の前記一面に設けられ、前記第２配線は前記圧電体の他面に設けられている請求項１に記載のタッチパネル装置。
【請求項４】
前記励振素子における前記平板電極と前記受信素子における前記平板電極とは一体化されている請求項１〜３の何れかに記載のタッチパネル装置。
【請求項５】
前記基板の隅部を越えて、前記励振素子及び／または前記受信素子が隣の辺縁部へ延設されている請求項１〜３の何れかに記載のタッチパネル装置。
【請求項６】
矩形状の基板の周縁部に、弾性表面波を励振する励振素子と弾性表面波を受信する受信素子とを備え、前記基板上の前記励振素子と前記受信素子との間で弾性表面波を伝播させ、前記受信素子での受信結果に基づいて、前記基板に接触された物体の位置を検出するタッチパネル装置において、前記励振素子及び前記受信素子は、膜状の圧電体と、該圧電体の一面に形成されている格子状電極と、前記圧電体の他面に形成されている平板電極とを有することを特徴とするタッチパネル装置。
【発明の詳細な説明】
【０００１】
【発明の属する技術分野】
本発明は、指，ペンなどの物体が接触したことを検出するタッチパネル装置に関し、特に、圧電体に電極を形成して構成される励振素子及び受信素子を用いて弾性表面波（ＳＡＷ：Surface Acoustic Wave)の減衰，遮断を検知して物体の接触位置を検出するタッチパネル装置に関する。
【０００２】
【従来の技術】
主としてパーソナルコンピュータ等のコンピュータシステムの普及に伴って、コンピュータシステムにより情報が表示される表示装置の表示画面上を指またはペンなどの物体で指示することにより、新たな情報を入力したり、コンピュータシステムに対して種々の指示を与えたりする装置が利用されている。パーソナルコンピュータ等の表示装置の表示画面に表示された情報に対してタッチ方式にて入力操作を行う場合には、その表示画面上での接触位置（指示位置）を高精度に検出する必要がある。
【０００３】
指，ペンなどの物体の接触位置を検出するタッチパネル装置としては、抵抗膜を用いた装置と超音波を用いた装置とが良く知られている。前者の抵抗膜を用いた装置では、抵抗膜に物体が接触することによって生じるその抵抗膜の抵抗値の変化を検知する。これは、消費電力が少なくて良いが、応答時間，検出性能，耐久性の点で問題がある。
【０００４】
これに対して、超音波を用いた装置では、例えば非圧電基板に弾性表面波を伝播させて、その非圧電基板に指，ペンなどの物体が接触することによって生じる弾性表面波の減衰を検知して、物体による接触位置を検出する。弾性表面波を励振，受信するトランスデューサとして、フォトリソグラフィ技術を用いて一括形成が可能な櫛形電極（ＩＤＴ：Inter Digital Transducer）を用いるタッチパネル装置が開発されている。このタッチパネル装置では、弾性表面波を励振する励振素子及び伝播された弾性表面波を受信する受信素子として、薄膜状の圧電体に櫛形電極を形成して構成される素子を使用している。
【０００５】
図８は、櫛形電極を用いるこのような従来のタッチパネル装置の構成を示す図である。図８において、６１は矩形状の非圧電基板であり、非圧電基板６１のＸ方向，Ｙ方向夫々の一端部には、圧電体に櫛形電極を形成して構成されており、弾性表面波を励振する複数の励振素子６２が一列状に配置されている。また、非圧電基板６１のＸ方向，Ｙ方向夫々の他端部には、圧電薄膜に櫛形電極を形成して構成されており、弾性表面波を受信する複数の受信素子６３が一列状に配置されている。
【０００６】
このタッチパネル装置では、各励振素子６２に周期信号を入力して弾性表面波を励振させて、非圧電基板６１を伝播させ、伝播した弾性表面波を各受信素子６３で受信させる。そして、非圧電基板６１上の弾性表面波の伝播路に指，ペンなどの物体が接触した場合には、弾性表面波が減衰する。従って、受信素子６３での受信信号のレベル減衰の有無を検知することにより、物体の接触の有無及びその接触位置を検出することが可能である。
【０００７】
このような構成のタッチパネル装置にあっては、櫛形電極の開口長によって、その分解能が決定するので、その開口長は小さくする方が好ましい。しかしながら、開口長と弾性表面波の波長とには相関があり、開口を狭くした場合には回折効果が急激に高まって、弾性表面波が伝播した経路の判別が困難となる。そこで、本発明者等は、検出位置の分解能の向上を図るために、非圧電基板の斜め方向（対角方向）に弾性表面波を伝播させるように励振素子，受信素子を配置するようにしたタッチパネル装置を提案している。
【０００８】
図９は、このようなタッチパネル装置の一例（以下、従来例という）の構成を示す図である。図９において、７１は矩形状の非圧電基板であり、中央の一点鎖線で囲まれた部分が、接触位置を検出できる検出領域７１ａである。
【０００９】
非圧電基板７１の周縁部である検出領域７１ａ外側の額縁領域７１ｂには、その上辺及び下辺側に励振素子７２、その左辺及び右辺側に受信素子７３が設けられている。図１０は、励振素子７２または受信素子７３の部分断面図であり、励振素子７２または受信素子７３は、薄膜状の圧電体７４に櫛形電極７５を形成して構成されている。この櫛形電極７５は、対向するバス電極７７，７７と、各バス電極７７，７７から中途で屈曲させて交互に連なる複数の電極指７８とを有している。この構成によって、バス電極７７，７７の対向方向から２方向に傾けた複数の電極指７８の配列を形成し、２方向への弾性表面波の同時励振及び２方向からの弾性表面波の同時受信を実現している。また、額縁領域７１ｂには，各バス電極７７を外部の回路（発振回路、受信レベル検出回路など）に接続するための引き回し配線７９が設けられている。
【００１０】
このような構成にあっては、励振素子７２にて弾性表面波が２方向に励振され、励振された弾性表面波が非圧電基板７１の対角２方向に伝播されて受信素子７３で受信され、その受信結果に基づいて、図９での例と同様に、物体の接触の有無及びその接触位置が検出される。
【００１１】
【発明が解決しようとする課題】
タッチパネル装置において、検出領域の外側にあって、励振素子，受信素子，引き回し配線などが設けられる額縁領域は、物体の接触位置を検出できない領域であるので、その額縁領域の面積を狭くすることが要求される。上述した従来例にあっては、極性が異なる電極指が交互に存在しているパターン（図１０参照）であるため、夫々の極性毎にバス電極を設けなくてはならない。従って、各辺において、励振／受信領域（電極指を形成するための領域）の幅に加えて、２本分のバス電極のための幅が必要となり、額縁領域の面積が広くなってしまうという問題がある。
【００１２】
また、励振素子側の辺と受信素子側の辺との境界部分（四隅部）においてもバス電極のための幅が必要となるので、対角方向に伝播される弾性表面波が弱くなる領域（図９のハッチングを付した対角線近傍部分）が広くなって、検出精度が低下する虞れがあるという問題がある。
【００１３】
本発明は斯かる事情に鑑みてなされたものであり、額縁領域の狭小化を図れると共に、電極，引き回し配線などの設計の自由度の向上を図れるタッチパネル装置を提供することを目的とする。
【００１４】
本発明の他の目的は、接触位置検出の分解能の向上を図れるタッチパネル装置を提供することにある。
【００１５】
本発明の更に他の目的は、引き回し配線の抵抗の低減化を図れるタッチパネル装置を提供することにある。
【００１６】
【課題を解決するための手段】
請求項１に係るタッチパネル装置は、矩形状の基板の周縁部に、弾性表面波を励振する励振素子と弾性表面波を受信する受信素子とを備え、前記基板上の前記励振素子と前記受信素子との間で弾性表面波を伝播させ、前記受信素子での受信結果に基づいて、前記基板に接触された物体の位置を検出するタッチパネル装置において、前記励振素子及び前記受信素子は、膜状の圧電体と、該圧電体の一面に形成されている櫛形電極と、前記圧電体の他面に形成されている平板電極とを有しており、前記基板上の対角方向に弾性表面波が伝播すべく、対をなす前記励振素子と前記受信素子とを前記基板の対角方向の周縁部に設けてあり、前記櫛形電極は中途で屈曲している電極指を有し、前記励振素子が同時に２方向へ弾性表面波を励振し、前記受信素子が同時に２方向からの弾性表面波を受信すべくなしてあることを特徴とする。
【００１７】
請求項１のタッチパネル装置にあっては、圧電体の一方の面に、極性が異なる電極指が交互に配置された櫛形電極ではなくて、極性が同じである複数の電極指を連ねた櫛形電極を形成し、圧電体の他方の面に櫛形電極とは極性が異なる平板電極を形成して、励振素子及び受信素子を構成している。よって、極性が異なる電極が同一平面上に存在するために各辺で２本分のバス電極の幅を必要とした従来例に比べて、本発明では１本分のバス電極の幅が必要となるだけであり、額縁領域を狭くできる。また、極性が異なる電極を同一平面上に設ける必要がないため、設計の自由度も向上する。対をなす励振素子と受信素子とを基板の隣合う辺に設けてあり、基板の対角方向に弾性表面波を伝播させる。よって、辺方向に弾性表面波を伝播させる場合と比べて、接触位置検出の分解能は高くなる。１つの励振素子にて２方向の弾性表面波を励振し、１つの受信素子にて２方向の弾性表面波を受信する。よって、弾性表面波の励振及び弾性表面波の受信を効率良く行える。
【００２２】
請求項２に係るタッチパネル装置は、請求項１において、前記櫛形電極または前記平板電極に接続される配線を備えており、前記配線に導電性物質が重畳されていることを特徴とする。
【００２３】
請求項２のタッチパネル装置にあっては、引き回し配線に例えば銀ペーストなどの導電性物質を重畳させている。よって、引き回し配線が厚くなってその抵抗は低下する。
【００２４】
請求項３に係るタッチパネル装置は、請求項１において、前記櫛形電極に接続される第１配線と、前記平板電極に接続される第２配線とを有しており、前記第１配線は前記圧電体の前記一面に設けられ、前記第２配線は前記圧電体の他面に設けられていることを特徴とする。
【００２５】
請求項３のタッチパネル装置にあっては、櫛形電極からの第１引き回し配線を圧電体の一方の面に設け、平板電極からの第２引き回し配線を圧電体の他方の面に設けている。よって、全ての引き回し配線を圧電体の１つの面に設ける場合に比べて、額縁領域を狭くできる。また、これらの引き回し配線の設計の自由度も向上する。
【００２６】
請求項４に係るタッチパネル装置は、請求項１〜３の何れかにおいて、前記励振素子における前記平板電極と前記受信素子における前記平板電極とは一体化されていることを特徴とする。
【００２７】
請求項４のタッチパネル装置にあっては、全ての励振素子及び受信素子における平板電極を共通化している。よって、額縁領域を更に狭くできる。
【００２８】
請求項５に係るタッチパネル装置は、請求項１〜３の何れかにおいて、前記基板の隅部を越えて、前記励振素子及び／または前記受信素子が隣の辺縁部へ延設されていることを特徴とする。
【００２９】
請求項５のタッチパネル装置にあっては、基板の隅部（対角領域）を越えて隣の辺縁部まで弾性表面波の励振領域及び／または受信領域を設けている。よって、対角線近傍において弾性表面波が弱くなることを防止する。
【００３０】
請求項６に係るタッチパネル装置は、矩形状の基板の周縁部に、弾性表面波を励振する励振素子と弾性表面波を受信する受信素子とを備え、前記基板上の前記励振素子と前記受信素子との間で弾性表面波を伝播させ、前記受信素子での受信結果に基づいて、前記基板に接触された物体の位置を検出するタッチパネル装置において、前記励振素子及び前記受信素子は、膜状の圧電体と、該圧電体の一面に形成されている格子状電極と、前記圧電体の他面に形成されている平板電極とを有することを特徴とする。
【００３１】
請求項６のタッチパネル装置にあっては、圧電体の一方の面に１つの極性の格子状電極を形成し、圧電体の他方の面に他の極性の平板電極を形成して、励振素子及び受信素子を構成している。よって、請求項１と同様に、１本分のバス電極の幅が必要となるだけであり、従来例に比べて額縁領域を狭くできる。また、極性が異なる電極を同一平面上に設ける必要がないため、設計の自由度も向上する。更に、格子状電極を用いているため、櫛形電極を用いる場合に比べて、開口幅を広くできて検出精度は向上する。
【００３２】
【発明の実施の形態】
以下、本発明をその実施の形態を示す図面を参照して具体的に説明する。
（第１実施の形態）
図１は、本発明の第１実施の形態に係るタッチパネル装置の構成を示す図である。図１において、１は例えばガラス材からなり、弾性表面波の伝播が可能な矩形状の非圧電基板であり、中央の一点鎖線で囲まれた部分が、接触位置を検出できる検出領域１ａである。
【００３３】
非圧電基板１の周縁部である、検出領域１ａの外側の額縁領域１ｂには、同時に２方向へ弾性表面波を励振する励振素子２がその上辺側及び下辺側に設けられ、同時に２方向からの弾性表面波を受信する受信素子３がその左辺側及び右辺側に設けられている。
【００３４】
これらの励振素子２及び受信素子３は同様の構成を有している。図２は、励振素子２または受信素子３の部分断面図であり、励振素子２または受信素子３は、例えばＡｌＮ，ＺｎＯなどからなる薄膜状の圧電体４の一方の面（表面）に櫛形電極５を形成し、その他方の面（裏面）に平板電極（ベタ電極）６を形成して構成されている。表面側の櫛形電極５は、図１に示すように、１本のバス電極７と、バス電極７に連なり、中途で屈曲させてＶ字状をなす複数の電極指８とを有する。なお、図１では、この平板電極６を破線で示し、圧電体４の設置範囲を一点鎖線で示している。
【００３５】
このような櫛形電極５及び平板電極６は外部の回路（発振回路、受信レベル検出回路など）に接続されるが、その接続に可撓性ケーブル（フレキシブルケーブル）が良く利用される。よって、図１に示すように、タッチパネル装置の１箇所で可撓性ケーブルに接続できるように、各櫛形電極５（バス電極７），各平板電極６からの引き回し配線９が額縁領域１ｂに設けられている。
【００３６】
このような構成にあって、櫛形電極５と平板電極６との間に周期信号を印加することにより、励振素子２にて弾性表面波が同時に２つの方向に励振され、励振された弾性表面波が非圧電基板１の２つの対角方向に伝播されて受信素子３で受信される。具体的には、上辺側の励振素子２からの弾性表面波は左下斜め方向及び右下斜め方向に伝播されて左辺側及び右辺側の受信素子３で受信され、下辺側の励振素子２からの弾性表面波は左上斜め方向及び右上斜め方向に伝播されて左辺側及び右辺側の受信素子３で受信される。
【００３７】
ここで、非圧電基板１の弾性表面波の伝播路に指，ペンなどの物体が接触した場合には、弾性表面波が減衰する。従って、両受信素子３での受信信号のレベル減衰の有無を検知することにより、物体の接触の有無及びその接触位置を検出することが可能である。
【００３８】
本発明では、同じ極性の複数の電極指８を連ねた櫛形電極５を圧電体４の表面に形成し、圧電体４の裏面に電極指８と極性が異なる平板電極６を形成して、励振素子２及び受信素子３を構成しているので（図２参照）、極性が異なる電極が同一平面上に存在するために各辺で２本分のバス電極７７の幅を必要とした従来例に比べて、１本分のバス電極７の幅が必要となるだけであり、額縁領域１ｂを狭くできる。また、極性が異なる電極を同一平面上に設ける必要がないため、自由な設計が可能となる。
【００３９】
また、励振周波数を同じとした場合、従来例では電極指７８の幅が弾性表面波の波長の１／４であるのに対して、本発明では電極指８の幅が弾性表面波の波長の１／２で良い。従って、電極作製時に要求されるパターニングの微細さを緩和することができ、従来例に比べて容易に電極指を作製できる。この結果、リフトオフ法，導電材料のスクリーン印刷法などの方法を用いて、電極を安価に作製することも可能となる。
【００４０】
更に、本発明では、励振素子２側の辺と受信素子３側の辺との境界部分（四隅部）においてもバス電極のための幅が不要となるので、対角方向に伝播される弾性表面波が弱くなる領域（図１のハッチングを付した対角線近傍部分）が、従来例（図９参照）と比較して狭くなり、検出精度の向上を図ることができる。
【００４１】
（第２実施の形態）
図３は、本発明の第２実施の形態に係るタッチパネル装置の構成を示す図である。図３において、図１と同一番号を付した部分は同一または同様な部分を表している。
【００４２】
第２実施の形態では、配線部での抵抗を下げるために、引き回し配線９の上に導電性物質１０（図３でハッチングを付した部分）を重畳させている。具体的には、予め作製した引き回し配線９の上に銀ペーストが塗布されている。また、引き回し配線９自体を直接に導電性物質１０のスクリーン印刷によって作製しても良い。なお、他の構成及び動作は、上述した第１実施の形態の場合と同様であるので、それらの説明は省略する。
【００４３】
タッチパネル装置にあっては、励振素子２及び受信素子３の各電極を外部の回路に接続させるために、櫛形電極５及び平板電極６から引き回し配線９を引き回す必要がある。この際、パネルのサイズによっては、その引き回し配線９の抵抗が検出特性に影響を及ぼす場合もある。よって、引き回し配線９の抵抗は低くすることが好ましい。低抵抗とする手法として、引き回し配線９を広くする手法と、引き回し配線９を厚くする手法とが考えられる。前者の方法では、引き回し配線９を広くした場合に額縁領域１ｂも広くなってしまって、これは額縁領域１ｂの狭小化には相反する。そこで、第２実施の形態では、導電性物質１０を引き回し配線９に重畳させて、その厚さを厚くして低抵抗化を実現しており、引き回し配線９の抵抗に伴う検出特性の悪影響を防止している。
【００４４】
（第３実施の形態）
図４は、本発明の第３実施の形態に係るタッチパネル装置の一部の構成を示す図である。図４において、図１と同一番号を付した部分は同一または同様な部分を表している。
【００４５】
第３実施の形態では、電極構成だけでなく、引き回し配線９にあっても圧電体４の両面に分離して設けられている。即ち、櫛形電極５からの引き回し配線９と平板電極６からの引き回し配線９とが、圧電体４の表裏面に分離して設けられている。図４に示す例では、上辺側の励振素子２の櫛形電極５（バス電極７）からの引き回し配線９（９ａ）が圧電体４の一方の面（表面）に設けられ、同じく上辺側の励振素子２の平板電極６からの引き回し配線９（９ｂ）が圧電体４の他方の面（裏面）に設けられている。なお、他の構成及び動作は、上述した第１実施の形態の場合と同様であるので、それらの説明は省略する。
【００４６】
このように圧電体４を挟んでその上下に引き回し配線９を分離して設けているので、圧電体４の一方側の面に全ての引き回し配線９を設ける場合に比べて、引き回し配線９の見かけ上の本数を減らすことができ、額縁領域１ｂの更なる狭小化を実現できる。また、引き回し配線９の設計の自由度も向上できる。
【００４７】
（第４実施の形態）
図５は、本発明の第４実施の形態に係るタッチパネル装置の構成を示す図である。図５において、図１と同一番号を付した部分は同一または同様な部分を表している。
【００４８】
第４実施の形態では、全ての励振素子２及び受信素子３における平板電極６を共通化している。つまり、圧電体４の裏面に形成した１枚のベタ電極にて各励振素子２，受信素子３の平板電極６を構成している。なお、他の構成及び動作は、上述した第１実施の形態の場合と同様であるので、それらの説明は省略する。
【００４９】
Ｓ／Ｎ比を十分に大きく取れるタッチパネル装置では、このような平板電極６の構成にすることにより、平板電極（ベタ電極）６からの引き回し配線９が１本で済むので、引き回し配線９の総数を減らすことができて、額縁領域１ｂの更なる狭小化を図れる。また、櫛形電極５からの引き回し配線９の設計の自由度も向上する。
【００５０】
（第５実施の形態）
図６は、本発明の第５実施の形態に係るタッチパネル装置の一部の構成を示す図である。図６において、図１と同一番号を付した部分は同一または同様な部分を表している。
【００５１】
第５実施の形態では、励振素子２の櫛形電極５の電極指８を、隣り合う辺同士の境界部分を越えて形成して、隣の辺にはみ出して弾性表面波の励振領域を設けている。具体的に図６に示す例では、上辺側の励振素子２において、対角線近傍を右下斜め方向に伝播する弾性表面波を励振するための電極指８（８ａ）を、左辺との境界部分を越えて、バス電極７に連ねて形成している。なお、他の構成及び動作は、上述した第１実施の形態の場合と同様であるので、それらの説明は省略する。
【００５２】
対角方向に弾性表面波を伝播させるタッチパネル装置にあっては、その対角線近傍（対角領域）において弾性表面波が弱くなる傾向がある。そこで、第５実施の形態では、非圧電基板１の隅部において、隣の受信素子３の領域まで少し割り込ませて、励振素子２の励振用の電極指８（８ａ）を余分に形成している。従って、従来例，第１実施の形態に比べて、対角線近傍での弾性表面波のレベルを高くすることができる。
【００５３】
なお、上述した例では、励振素子２の電極指８を境界部分から越えて形成する場合について説明したが、受信素子３の受信用の電極指８を境界部分から越えて形成して、受信領域を広げるようにしても良い。
【００５４】
（第６実施の形態）
図７は、本発明の第６実施の形態に係るタッチパネル装置の構成を示す図である。他の実施の形態と同様の非圧電基板１は、中央の検出領域１ａと周縁の額縁領域１ｂとを有している。上辺側及び下辺側の額縁領域１ｂには、同時に２方向へ弾性表面波を励振する励振素子２が設けられ、左辺側及び右辺側の額縁領域１ｂには、同時に２方向からの弾性表面波を受信する受信素子３が設けられている。
【００５５】
これらの励振素子２及び受信素子３は同様の構成を有しており、励振素子２及び受信素子３は、例えばＡｌＮ，ＺｎＯなどからなる薄膜状の圧電体１４の一方の面（表面）に格子状電極１５を形成し、その他方の面（裏面）に平板電極（ベタ電極）１６を形成して構成されている。表面側の格子状電極１５は、図７に示すように、１本のバス電極１７の複数の部位から２方向へ電極指を延在させて構成されている。格子状電極１５または平板電極１６を外部の回路（発振回路、受信レベル検出回路など）に接続するための引き回し配線９が額縁領域１ｂに設けられている。
【００５６】
このような構成にあっては、格子状電極１５と平板電極１６との間に周期信号を印加することにより、上述した第１実施の形態と同様に、上辺側の励振素子２からの弾性表面波は左下斜め方向及び右下斜め方向に伝播されて左辺側及び右辺側の受信素子３で受信され、下辺側の励振素子２からの弾性表面波は左上斜め方向及び右上斜め方向に伝播されて左辺側及び右辺側の受信素子３で受信される。従って、両受信素子３での受信結果に基づいて、物体の接触の有無及びその接触位置を検出できる。
【００５７】
第６実施の形態では、圧電体１４の表面に格子状電極１５を形成し、その裏面に平板電極１６を形成しているので、上述した他の実施の形態と同様の効果（額縁領域の狭小化、自由な設計など）を奏する。また、格子状電極１５を用いているため、櫛形電極を用いる場合に比べて、開口幅を広くできて検出精度を向上させることができる。このような格子状電極を用いる構成は、圧電体の一方の面にのみ電極を形成する従来例では全く実現できず、圧電体の両方の面に電極を形成する本発明独自のものである。
【００５８】
なお、格子状電極を用いる第６実施の形態においても、上述した第２〜第５実施の形態で説明した夫々の技術を同様に適用できることは勿論である。
【００５９】
上述した実施の形態では、櫛形電極または格子状電極を圧電体の表面に形成し、平板電極を圧電体の裏面に形成するようにしたが、これとは逆に、圧電体の表面に平板電極を形成して、その裏面に櫛形電極または格子状電極を形成するようにしても良いことは言うまでもない。
【００６０】
また、上述した実施の形態では、非圧電基板の対角方向に弾性表面波を伝播させる例について説明したが、図８に示したような非圧電基板の辺方向に弾性表面波を伝播させるタッチパネル装置についても、本発明を同様に適用できる。
【００６１】
【発明の効果】
以上詳述した如く、本発明のタッチパネル装置では、圧電体の一方の面に櫛形電極または格子状電極を形成し、圧電体の他方の面に平板電極を形成して、励振素子及び受信素子を構成するようにしたので、バス電極の本数を少なくできて、額縁領域の狭小化を図れると共に、設計の自由度の向上を図ることができる。
【００６２】
また、本発明のタッチパネル装置では、対をなす励振素子と受信素子とを基板の隣合う辺に設けて、基板の対角方向に弾性表面波を伝播させるようにしたので、接触位置検出の分解能を高めることができる。
【００６３】
また、本発明のタッチパネル装置では、１つの励振素子にて２方向へ弾性表面波を同時に励振させ、１つの受信素子にて２方向からの弾性表面波を同時に受信させるようにしたので、弾性表面波の励振及び弾性表面波の受信を効率良く行うことができる。
【００６４】
また、本発明のタッチパネル装置では、引き回し配線に導電性物質を重畳するようにしたので、引き回し配線の抵抗を低下させ、その抵抗の検出処理への悪影響を防止して、高い検出精度を実現することができる。
【００６５】
また、本発明のタッチパネル装置では、櫛形電極または格子状電極からの引き回し配線を圧電体の一方の面に設け、平板電極からの引き回し配線を圧電体の他方の面に設けるようにしたので、額縁領域をより狭くできると共に、引き回し配線の設計の自由度を向上させることができる。
【００６６】
また、本発明のタッチパネル装置では、励振素子及び受信素子における平板電極を共通化するようにしたので、引き回し配線の本数を削減できて額縁領域を更に狭くできる。
【００６７】
また、本発明のタッチパネル装置では、基板の隅部（対角領域）を越えて隣の辺縁部まで弾性表面波の励振領域及び／または受信領域を設けるようにしたので、対角線近傍において弾性表面波が弱くなることを防止できる。
【００６８】
更に、本発明のタッチパネル装置では、格子状電極を用いるようにしたので、櫛形電極を用いる場合に比べて、開口幅を広くできて検出精度を向上することが可能となる。
【図面の簡単な説明】
【図１】第１実施の形態に係るタッチパネル装置の構成を示す図である。
【図２】本発明の励振素子または受信素子の部分断面図である。
【図３】第２実施の形態に係るタッチパネル装置の構成を示す図である。
【図４】第３実施の形態に係るタッチパネル装置の一部の構成を示す図である。
【図５】第４実施の形態に係るタッチパネル装置の構成を示す図である。
【図６】第５実施の形態に係るタッチパネル装置の一部の構成を示す図である。
【図７】第６実施の形態に係るタッチパネル装置の構成を示す図である。
【図８】従来のタッチパネル装置の構成を示す図である。
【図９】従来のタッチパネル装置（従来例）の構成を示す図である。
【図１０】従来の励振素子または受信素子の部分断面図である。
【符号の説明】
１  非圧電基板
１ａ  検出領域
１ｂ  額縁領域
２  励振素子
３  受信素子
４，１４  圧電体
５  櫛形電極
６，１６  平板電極
７，１７  バス電極
８，８ａ  電極指
９，９ａ，９ｂ  引き回し配線
１０  導電性物質
１５  格子状電極
【図１】
0004052880.tif 000002
【図２】
0004052880.tif 000003
【図３】
0004052880.tif 000004
【図４】
0004052880.tif 000005
【図５】
0004052880.tif 000006
【図６】
0004052880.tif 000007
【図７】
0004052880.tif 000008
【図８】
0004052880.tif 000009
【図９】
0004052880.tif 000010
【図１０】
0004052880.tif 000011